(57)【要約】【課題】発泡箱の内部と連通する空気流通路の入出口が接着テープで覆われても空気流通路の機能を損なわない発泡箱を提供する。【解決手段】発泡箱１は容器本体２と蓋部材３とで構成され、外部から内部へ連通する空気流通路は、蓋部材３に設けられた凹部の一部を陥没させて形成する。この空気流通路は、容器本体２と接触する接触面の外縁コーナ部に位置する蓋部材の側壁に、入出口５を有し、この入出口５と容器本体２との対面位置の側壁コーナ部から底面方向に沿って空気流通路に繋がる長溝６を容器本体２に形成する。この構成により、発泡箱１の容器本体２と蓋部材３の境目に沿って接着テープが発泡箱１に巻きつけられても、空気流通路の入出口５に繋がる長溝６により発泡箱１の内部と外部との空気の出し入れが可能となる。【選択図】図１
2014234232.tif 000002
【特許請求の範囲】
【請求項１】
収納物を収納する容器本体と、前記容器本体の開口部に装着される蓋部材とを備えた発泡箱において、
前記開口部の全周囲に渡って凸部又は凹部が設けられ、
前記蓋部材には、前記開口部に設けられた前記凸部又は前記凹部に嵌合する凹部又は凸部が設けられ、
前記蓋部材が前記容器本体に装着されたとき、前記発泡箱の外部から内部へ連通する空気流通路を前記蓋部材に有し、
前記空気流通路は、前記蓋部材に設けられた前記凹部又は前記凸部の一部を陥没させて形成され、
前記空気流通路は、前記容器本体と接触する接触面のコーナ部に位置する前記蓋部材の側壁に入出口を有し、
前記入出口と前記容器本体との対面位置の側壁コーナ部から底面方向に沿って前記空気流通路に繋がる長溝が前記容器本体に形成されていることを特徴とする発泡箱。
【請求項２】
収納物を収納する容器本体と、前記容器本体の開口部に装着する蓋部材とを備えた発泡箱において、
前記開口部の全周囲に渡って凸部又は凹部が設けられ、
前記蓋部材には、前記開口部に設けられた前記凸部又は前記凹部に嵌合する凹部又は凸部が設けられ、
前記蓋部材が前記容器本体に装着されたとき、前記発泡箱の外部から内部へ連通する空気流通路を前記容器本体に有し、
前記空気流通路は、前記開口部に設けられた前記凸部又は前記凹部の一部を陥没させて形成され、
前記空気流通路は、前記蓋部材と接触する接触面のコーナ部に位置する前記容器本体の側壁に入出口を有し、
前記入出口から前記容器本体の底面方向に沿って前記空気流通路に繋がる長溝が前記容器本体に形成されていることを特徴とする発泡箱。
【請求項３】
前記長溝は、前記入出口と同じ幅を有することを特徴とする請求項１又は請求項２に記載の発泡箱。
【発明の詳細な説明】
【技術分野】
【０００１】
本発明は、野菜等を収納する発泡箱に関する。
【背景技術】
【０００２】
従来より、野菜等を収納するための容器本体と、この容器本体に蓋をする蓋部材で構成された発泡箱が存在する。発泡箱に収納された野菜等は、エチレンガスや湿気等を放出し、発泡箱にエチレンガスや湿気等が蓄積されると、野菜等の鮮度の低下を早めることになる。また、逆に収納された野菜等が外気にさらされると乾燥等を招き、同じくその鮮度の低下を早めることになる。そこで、発泡箱の内部と外気との間で、ある程度空気の流通を可能し、野菜等の鮮度を保つため、容器本体と蓋部材との間に空気流通路が設けられた発泡箱が開示されている（例えば、特許文献１参照。）。
【先行技術文献】
【特許文献】
【０００３】
【特許文献１】実用新案登録第３１０４６９８号公報
【発明の概要】
【発明が解決しようとする課題】
【０００４】
上記特許文献１に記載された発泡箱は、収納された野菜等から発散するエチレンガス等を発泡箱の外部に逃がす空気流通路が形成されている。しかし、図１０及び図１１に示すように、輸送の際に、発泡箱５０を構成する蓋部材５３が容器本体５２から外れないように、蓋部材５３と容器本体５２との境目に沿って接着テープ１００が巻きつけられた場合は、空気流通路の入出口５５が接着テープ１００で覆われて、空気流通路の役割を成さず、野菜等の鮮度の低下を招く場合がある。
【０００５】
本発明は、上記課題を解決するものであって、接着テープが蓋部材と容器本体との境目に沿って巻きつけた場合でも、空気流通路の入出口を確保でき、収納された野菜等から発散するエチレンガス等を外部に逃がすことができる発泡箱を提供することを目的とする。
【課題を解決するための手段】
【０００６】
上記課題を解決するため、本発明は、収納物を収納する容器本体と、前記容器本体の開口部に装着される蓋部材とを備えた発泡箱において、前記開口部の全周囲に渡って凸部又は凹部が設けられ、前記蓋部材には、前記開口部に設けられた前記凸部又は前記凹部に嵌合する凹部又は凸部が設けられ、前記蓋部材が前記容器本体に装着されたとき、前記発泡箱の外部から内部へ連通する空気流通路を前記蓋部材に有し、前記空気流通路は、前記蓋部材に設けられた前記凹部又は前記凸部の一部を陥没させて形成され、前記空気流通路は、前記容器本体と接触する接触面のコーナ部に位置する前記蓋部材の側壁に入出口を有し、前記入出口と前記容器本体との対面位置の側壁コーナ部から底面方向に沿って前記空気流通路に繋がる長溝を前記容器本体に形成する。
【０００７】
また、本発明は、収納物を収納する容器本体と、前記容器本体の開口部に装着する蓋部材とを備えた発泡箱において、前記開口部の全周囲に渡って凸部又は凹部が設けられ、前記蓋部材には、前記開口部に設けられた前記凸部又は前記凹部に嵌合する凹部又は凸部が設けられ、前記蓋部材が前記容器本体に装着されたとき、前記発泡箱の外部から内部へ連通する空気流通路を前記容器本体に有し、前記空気流通路は、前記開口部に設けられた前記凸部又は前記凹部の一部を陥没させて形成され、前記空気流通路は、前記蓋部材と接触する接触面のコーナ部に位置する前記容器本体の側壁に入出口を有し、前記入出口から前記容器本体の底面方向に沿って前記空気流通路に繋がる長溝を前記容器本体に形成する。
【０００８】
また、前記長溝は、前記入出口と同じ幅を有することが望ましい。
【発明の効果】
【０００９】
請求項１又は請求項２の発明によれば、空気流通路の入出口に繋がる長溝を容器本体の底面方向に沿って設けることにより、発泡箱の容器本体と蓋部材の境目に沿って接着テープが巻きつけられても、空気流通路の入出口に繋がる長溝により発泡箱の内部と外部との空気の出し入れが可能となる。
【００１０】
請求項３に発明によれば、長溝を空気流通路の入出口と同じ幅とすることにより、接着テープで空気流通路の入出口が塞がれても、同じ流量の空気の出し入れが可能となる。
【図面の簡単な説明】
【００１１】
【図１】本発明の第１の実施形態に係る発泡箱の斜視図。
【図２】同発泡箱の空気流通路の断面図。
【図３】同発泡箱の半裁側断面図。
【図４】（ａ）は同発泡箱の容器本体の上面図、（ｂ）は容器本体の半裁側断面図。
【図５】（ａ）は同発泡箱の蓋部材の上面図、（ｂ）は蓋部材の裏面図、（ｃ）は蓋部材の正面図。
【図６】同発泡箱の容器本体のコーナ部を拡大した斜視図。
【図７】同発泡箱の蓋部材を裏面側から見たときのコーナ部の拡大斜視図。
【図８】同発泡箱に接着テープを巻きつけたときのコーナ部の拡大斜視図。
【図９】本発明の第２の実施形態に係る発泡箱の容器本体のコーナ部の拡大斜視図。
【図１０】従来の発泡箱に接着テープを巻きつけたときの斜視図。
【図１１】従来の発泡箱に接着テープを巻きつけたときのコーナ部の拡大斜視図。
【発明を実施するための形態】
【００１２】
(第１の実施形態）
本発明の第１の実施形態に係る発泡箱について、図１乃至図８を参照して説明する。図１において、発泡箱１は、野菜等を収納して運搬等の輸送に用いられる保存容器であって、容器本体２と蓋部材３とで構成される。発泡箱１は、蓋部材３が容器本体２と接触する接触面のコーナ部に位置する蓋部材３の側壁の４箇所に、発泡箱１の内部に連通する空気流通路４（図２参照）の入出口５がそれぞれ設けられている。また、入出口５と容器本体２との対面位置の側壁コーナ部から容器本体２の底面方向に沿って、入出口５と繋がる長溝６が容器本体２に所定長さ設けられている。この長溝６の幅は、空気流通路４の入出口５と同じ幅となっている。
【００１３】
図２は、発泡箱１の側壁コーナ部に設けられた空気流通路４の断面を示す。空気流通路４は、発泡箱１の内部と連通しており、発泡箱１に収納された野菜等から発生するエチレンガスや湿気等を外部へ放出する役割を成す。また、空気流通路４の入出口５は、接着テープ１００で覆われているため、入出口５から直接エチレンガスや湿気等を放出できないが、エチレンガスや湿気等は、入出口５に繋がる長溝６から外部に排出される。この空気流通路４と入出口５及び長溝６の構成について、以下に詳しく説明する。
【００１４】
図３は、容器本体２に蓋部材３が装着された発泡箱１であって、左半分は側面、右半分は断面を示す。発泡箱１の内部は、アスパラガス等の野菜を収納するスペースである。
【００１５】
図４において、容器本体２の開口部２ａには、開口部２ａの全周囲に渡って凸部２ｂが設けられている。容器本体２を上面から見たとき、容器本体２は矩形を成し、この矩形の左右の短辺には、中央部分に取手２ｃが設けられている。この取手２ｃを形成するために、容器本体２は、取手２ｃの部分から底面側に沿って側面に窪み２ｄを有する。
【００１６】
図５において、蓋部材３は容器本体２の矩形の開口部２ａに対応して、同様の矩形の形状を成す。蓋部材３の裏面側には、容器本体２の開口部２ａに設けられた凸部２ｂに嵌合するように、凹部３ａが蓋部材３の全周囲に渡って設けられている。また、蓋部材３の裏面側各コーナ部には、空気流通路４が凹部３ａの部分を陥没させることにより形成されている。ここで、陥没とは、凹部３ａの部分をさらに凹ませるという意味であり、実際には蓋部材３を成型する金型の空気流通路４の部分に所定形状の凸部を設けることにより、空気流通路４が形成される。
【００１７】
図６において、容器本体２に設けられた長溝６は、蓋部材３に設けられた空気流通路４の入出口５と容器本体２との対面位置の側面コーナ部から容器本体２の底面方向に沿って、形成されている。この長溝６は、容器本体２の４箇所の各側面コーナ部に設けられ、上述のように空気流通路４の入出口５と繋がっており、空気流通路４の入出口５と同じ幅で形成されている。
【００１８】
図７において、蓋部材３に設けられた空気流通路４は、発泡箱１の内方から、２つの第１流通路４ａ、第２流通路４ｂ、第３流通路４ｃ、第４流通路４ｄが形成され、これらの流通路が入出口５から発泡箱１の内部まで繋がっている。第１流通路４ａは、半円筒形の形状を成し、容器本体２の内部に繋がる。第２流通路４ｂは、蓋部材３の凹部３ａのコーナ部の下面を所定深さ陥没させて形成されている。第３流通路４ｃは、容器本体２のコーナ部の凸部２ｂの側壁が蓋部材３に嵌合する部分を側面方向に陥没させて形成されている。４流通路４ｄは、蓋部材３の第３流通路４ｃに繋がるコーナ部を側壁方向に所定の深さ陥没させて形成されている。
【００１９】
図８に示すように、第１の実施形態の発泡箱１によれば、発泡箱１の内部に連通する空気流通路４の入出口５が接着テープ１００で塞がれても、発泡箱１に収納された野菜等から発生するエチレンガスや湿気等は、この入出口５に繋がる長溝６から排出することができる。また、長溝６はある程度余裕を持った長さに形成されているため、複数種類の幅がある接着テープ１００が容器本体２と蓋部材３の接触部分に沿って巻きつけられても、長溝６の全体が接着テープ１００で塞がれることはない。
【００２０】
長溝６は、空気流通路４の入出口５と同じ幅で形成されているため、入出口５と同じ流量の空気の出し入れが可能となり、発泡箱１に収納された野菜等から発生するエチレンガスや湿気等は滑らかに排出される。また、長溝６は、空気流通路４の入出口５の下方側に形成されているため、運搬中に発泡箱１に水などが浴びせられたとしても、空気流通路４を通じて、水などが発泡箱１に浸入することがない。
(第２の実施形態）
【００２１】
本発明の第２の実施形態に係る発泡箱について、図９を参照して説明する。第１の実施形態に係る発泡箱１では空気流通路４が蓋部材３に設けられていたが、第２の実施形態の発泡箱の空気流通路１０は、容器本体１１に形成されている点で異なる。なお、第１の実施形態に係る容器本体２の開口部２ａに設けられたと凸部２ｂと蓋部材３に設けられたと凹部３ａの嵌合構造は同じであるため、その図面を省略する。
【００２２】
容器本体１１には、容器本体１１の凸部１１ｂに空気流通路１０が形成され、この空気流通路１０は、蓋部材と接触する接触面のコーナ部に位置する容器本体１１の側壁に外部からの入出口１２を有する。この空気流通路１０は、容器本体１１の内方から、２つの第１流通路１０ａ、第２流通路１０ｂ、第３流通路１０ｃ、第４流通路１０ｄと構成されている。これらの流通路は入出口１２から容器本体１１の内部まで繋がっており、さらに、この入出口１２は長溝１３と繋がり、この長溝１３は入出口１２と同じ幅で容器本体１１の底面方向に沿って所定長さ形成されている。
【００２３】
容器本体１１に設けられた第１流通路１０ａ、第２流通路１０ｂ、第３流通路１０ｃ、第４流通路１０ｄは、第１の実施形態で示された蓋部材３に設けられた空気流通路４に対応する部分を、容器本体１１が蓋部材と嵌合する開口部のコーナに位置する凸部１１ｂを陥没させることにより形成している。
【００２４】
第２の実施形態に係る発泡箱の長溝１３は、第１の実施形態係る発泡箱１の長溝６と同じように、空気流通路１０の入出口１２が接着テープ１００で塞がれていても、野菜等から発生するエチレンガスや湿気等は、この入出口１２に繋がる長溝１３から排出することができる。また、空気流通路１０と長溝１３は、容器本体１１に設けられているため、空気流通路を備えない発泡箱の容器本体の金型を変更するだけで、容器本体に空気流通路１０と長溝１３を形成することができ、本実施形態と同じ効果を有する発泡箱を作成することができる。
【００２５】
上述した第１の実施形態及び第２の実施形態では、容器本体２の開口部２ａの全周囲に渡って凸部２ｂを設け、これに嵌合するように、蓋部材３の全周囲に渡って凹部３ａを設けたが、容器本体２の開口部２ａに凹部を設け、蓋部材３に凸部を設けてもよい。
【符号の説明】
【００２６】
１  発泡箱
２，１１  容器本体
２ａ  開口部
２ｂ，１１ｂ  凸部（開口部の凸部）
３  蓋部材
３ａ  凹部（蓋部材の凹部）
４，１０  空気流通路
５，１２  入出口
６，１３  長溝
【図１】
2014234232.tif 000003
【図２】
2014234232.tif 000004
【図３】
2014234232.tif 000005
【図４】
2014234232.tif 000006
【図５】
2014234232.tif 000007
【図６】
2014234232.tif 000008
【図７】
2014234232.tif 000009
【図８】
2014234232.tif 000010
【図９】
2014234232.tif 000011
【図１０】
2014234232.tif 000012
【図１１】
2014234232.tif 000013